(57)【要約】【課題】ケースのみでの電子機器のスタンド機能を実現させる。【解決手段】電子機器を収納するケースが、そのカバー部分を利用して、机上等において電子機器を立てて使用する際にスタンドとして機能するようにする。このため電子機器を収納するポケット部２と、ポケット部２の背面部の内側に一端が取り付けられたスタンド用片１４と、スタンド用片１４の先端部に形成された係止片１５とを設け、スタンドとして使用する場合は、カバー部（８，７，９）を屈折させて該カバー部の先端を係止片１５に係止させる。この状態で、カバー部（８，７，９）がスタンド用脚部として機能する。【選択図】図７
2009178373.tif 000002
【特許請求の範囲】
【請求項１】
電子機器のケースであって、
上記電子機器の筐体下部を収納保持するポケット部と、
上記ポケット部の背面部から延長され、上記電子機器の筐体背面、筐体上面及び筐体前面を覆うことができるカバー部と、
上記ポケット部の背面部の内側に一端が取り付けられたスタンド用片と、
上記スタンド用片の先端部に形成された係止片と、
を備え、
上記ポケット部に上記電子機器が収納された状態で、上記カバー部を屈折させて該カバー部の先端を上記係止片に係止させることで、上記カバー部がスタンド用脚部として機能することを特徴とするケース。
【請求項２】
上記カバー部、上記スタンド用片及び係止片は、可撓性のあるシート状物で形成されており、上記スタンド用片及び係止片は、上記カバー部より薄く形成されていることを特徴とする請求項１に記載のケース
【請求項３】
上記電子機器は、表示画面を有する電子機器であって、
上記ポケット部の前面部は、上記電子機器が上記ポケット部に収納された際に上記表示画面を覆わない状態に形成されていることを特徴とする請求項２に記載のケース。
【請求項４】
上記ポケット部の側面部は、上記電子機器が上記ポケット部に収納された際に上記電子機器の筐体側面に配された構成物を覆わない状態に形成されていることを特徴とする請求項３に記載のケース。
【請求項５】
上記カバー部における所要部分は、芯材によって補強されていることを特徴とする請求項１に記載のケース。
【発明の詳細な説明】
【技術分野】
【０００１】
本発明は、例えば携帯型などとされた小型の電子機器に用いることに好適なケースに関するものである。
【背景技術】
【０００２】
【特許文献１】特開平１１−２０６４３３号公報
【特許文献２】特開２００１−１１２５２９号公報
【０００３】
携帯型の電子機器として、テレビジョン受像器、ゲーム機、オーディオプレーヤ、ビデオプレーヤ、携帯電話機、ＰＤＡ（Personal Digital Assistant）など、各種の機器が開発されている。
これらの携帯型の電子機器では、持ち運びの際の機器の保護や、さらにはファッション性向上などを目的としてキャリングケースが用いられることが多い。
このキャリングケースとしては、多くは、例えば布、レザー、合成皮革など可撓性のあるシート状の素材を用い、これらの素材を用いて縫製により製作されている。
【発明の開示】
【発明が解決しようとする課題】
【０００４】
ところで携帯用の電子機器の使用形態を考えると、機器の種類にもよるが、手に持ったり、或いは衣服のポケットや鞄に入れた状態で使用することもあれば、机やテーブルなどに置いて使用する場合もある。
例えば携帯用のテレビジョン受像器やビデオプレーヤなどを考えると、机上等に置いて映像を見るという機会が多々ある。
このため、これらの機器では、机上等で立てた状態を維持できるスタンド機構があると便利であり、機器によっては、筐体背面部にスタンド用の脚部が設けられているものもある。例えば携帯時には脚部を筐体背面部などに収納しておき、机上等に置くときは、脚部を引き出して用いるような機構が数多く知られている。
【０００５】
しかしながら、電子機器自体にスタンド用の脚部を設けることは、それによって電子機器の構造や外観デザインの自由度が少なくなり、設計上の制限を生ずることがある。
また、キャリングケースを使用することを考えると、机上で使用する場合には、わざわざ機器をキャリングケースから取り出して使用する必要があり、ユーザにとって面倒である。
そこで、キャリングケースにスタンド機能を付加することが考えられる。例えばキャリングケースの一部を電子機器の筐体の背面などに係止させることで、キャリングケースの一部がスタンド用の脚部として機能するようにすることなどが考えられる。
しかしながらその場合は、電子機器筐体に、キャリングケースの一部を係止するような機構を備える必要があり、これも、電子機器のデザインの自由度を少なくする。
【０００６】
そこで本発明は、キャリングケースとして用いられる携帯型の電子機器のケースとして、携帯時にはケースとしての保護機能やファッション性を備え、かつ電子機器を立てて使用する際のスタンドとしても機能し、またスタンドとして使用するための構造を電子機器に設ける必要がないようにすることを目的とする。
【課題を解決するための手段】
【０００７】
本発明のケースは、電子機器のケースであって、上記電子機器の筐体下部を収納保持するポケット部と、上記ポケット部の背面部から延長され、上記電子機器の筐体背面、筐体上面及び筐体前面を覆うことができるカバー部と、上記ポケット部の背面部の内側に一端が取り付けられたスタンド用片と、上記スタンド用片の先端部に形成された係止片とを備える。そして上記ポケット部に上記電子機器が収納された状態で、上記カバー部を屈折させて該カバー部の先端を上記係止片に係止させることで、上記カバー部がスタンド用脚部として機能する。
また、上記カバー部、上記スタンド用片及び係止片は、可撓性のあるシート状物で形成されており、上記スタンド用片及び係止片は、上記カバー部より薄く形成されている。
また上記電子機器は、表示画面を有する電子機器であって、上記ポケット部の前面部は、上記電子機器が上記ポケット部に収納された際に上記表示画面を覆わない状態に形成されている。
また上記ポケット部の側面部は、上記電子機器が上記ポケット部に収納された際に上記電子機器の筐体側面に配された構成物を覆わない状態に形成されている。
また上記カバー部における所要部分は、芯材によって補強されている。
【０００８】
このような本発明のケースは、電子機器を机上等において立てて使用する際に電子機器のスタンドとして機能する。スタンドとして使用する場合は、上記カバー部を屈折させて該カバー部の先端を上記係止片に係止させる。この状態で、上記カバー部がスタンド用脚部として機能し、電子機器が適度な角度で机上等に立った状態とすることができる。
【発明の効果】
【０００９】
本発明のケースによれば、電子機器の携帯時にはキャリングケースとして機能し、電子機器の保護等に有用であるとともに、電子機器を机上等において使用するときには、スタンドとして機能することで、電子機器を収納したまま、多様な電子機器の利用態様に対応でき、ユーザにとって利便性の高いものとなる。
また、スタンドとして機能する際には、カバー部を屈折させて該カバー部の先端を係止片に係止させるのみでよく、スタンド化が容易であるとともに、電子機器側に係止のための構造を設ける必要がない。即ち、電子機器側にスタンド状態の利用のための構成負担をかけることはなく、これによって電子機器の設計の自由度が向上し、例えば良好な外観の電子機器製品の実現に好適となる。
【００１０】
また、スタンド用片はポケット部の背面部の内側に一端が取り付けられているものであって、電子機器を収納した際には外観に表れず、また、スタンド用片及び係止片はカバー部よりも薄く形成されていることで、キャリングケース使用時に、これらスタンド用片や係止片の厚みの影響でキャリングケースの一部が外から見て大きくふくらんでしまうこともない。つまり、スタンド用片及び係止片を設けることがケースの外観に影響することはなく、ファッション性、美観の点でも好適である。
【発明を実施するための最良の形態】
【００１１】
＜第１の実施の形態＞
以下、本発明のケースの実施の形態として、例えば携帯型テレビジョン受像器に用いるキャリングケース１を、図１〜図８を用いて説明する。
【００１２】
まず、図１、図２，図３，図４，図５を参照する。
図１（ａ）は実施の形態のキャリングケース１を前面側から見た斜視図であり、図１（ｂ）は背面側から見た斜視図である。
図２は（ａ）（ｂ）は、特にキャリングケース１の構成部位の１つであるスタンド用片１４及び係止片１５を説明するための斜視図及びカバー部分を或る程度屈曲させた状態の側面図である。
図３は、キャリングケース１に携帯型テレビジョン受像器１００を収納し、カバーを開いている状態の斜視図である。
図４（ａ）（ｂ）は、キャリングケース１に携帯型テレビジョン受像器１００を収納してカバーを閉じた状態を、それぞれ正面側、背面側から見た斜視図である。
図５（ａ）（ｂ）は、キャリングケース１に携帯型テレビジョン受像器１００を収納したままで携帯型テレビジョン受像器１００を使用する際の状態を、それぞれ正面側、背面側から見た斜視図である。
【００１３】
図１（ａ）（ｂ）に示す本例のキャリングケース１は、例えば布、合成皮革、レザー（天然皮革）等の素材を用いた可撓性のあるシート状物の縫製により形成される。
一例として、表地をポリウレタン系の合成皮革、裏地をＰＥＴ系のクッション材とし、これらを接着し外縁部を縫い合わせたシート状物を用いる。もちろん、表地や裏地を布その他の素材としてもよい。
【００１４】
図１（ａ）（ｂ）に示すようにキャリングケース１は、ポケット部２が形成される。このポケット部２は、前面部３，底面部６，背面部５、右側面部４Ｒ、左側面部４Ｌによって、携帯型テレビジョン受像器１００の収納空間として形成されるものである。
図３に、携帯型テレビジョン受像器１００をポケット部２に収納した状態を示してる。図示のようにこのポケット部２は、携帯型テレビジョン受像器１００の筐体下部を収納保持する状態となる。
ポケット部２の側面となる右側面部４Ｒ、左側面部４Ｌは、ポケット部２の側面全体を覆うのではなく、ポケット部２の側面上方側に形成され、下方（底面側）は開放部１２Ｒ、１２Ｌとしている。（なお、開放部１２Ｌは図４（ｂ）参照）
【００１５】
また図１（ａ）（ｂ）からわかるように、ポケット部２の背面部５からは上記のシート状物がそのまま延長されてカバー部とされる。即ち背面カバー部９、上面カバー部７、及び前面カバー部８が、連続的に形成されている。
背面カバー部９、上面カバー部７、及び前面カバー部８が閉じられた状態は図４（ａ）（ｂ）に示されるが、カバーを閉じた状態では、背面カバー部９、上面カバー部７、及び前面カバー部８が、それぞれ携帯型テレビジョン受像器１００の背面、上面、前面を覆うこととなる。
図１（ａ）に示すように、前面カバー部８の内側と、ポケット部２の前面部３には雌ホック１０、雄ホック１１が取り付けられており、図４のようにカバーを閉じた状態で雌雄ホック１０，１１が係合することで、カバーを閉じた状態が保たれる。
なお、この図４の状態では、前面カバー部８の内側（裏地部分）は、表示画面１０１に触れることになる。このため前面カバー部８の裏地（もしくは前面カバー部８からポケット部２に至る部位を形成するシート状物全体の裏地）の材質として、画面を傷つけず画面表面の保護に適したものを採用することが適切である。
【００１６】
また図１（ａ）に示すように、ポケット部２の背面部５の内側に一端が取り付けられた略方形のスタンド用片１４が設けられる。
一端とは、図２（ａ）に示す端部２０であり、スタンド用片１４は、この端部２０のみが背面部５の内側に縫い付けられている。縫い付けられる位置は、背面部５の内側において、背面カバー部９の境界付近とされている。
なお、ここで言う背面部５と背面カバー部９の境界は厳密に決められる必要はないが、図２（ｂ）のようにポケット部２としての構造部分から折曲できる範囲を背面カバー部９と考えればよい。その意味で、スタンド用片１４の端部２０は、ポケット部２を構成する背面部５の内側に相当する位置に縫い付けられればよい。
【００１７】
このスタンド用片１４の先端（自由端）側は、図２（ａ）（ｂ）に示すように係止片１５が形成されている。
例えばスタンド用片１４が表地（例えば合成皮革）と裏地（例えば布）で縫製されてシート状物とされている場合、その表地において係止片１５に相当する部分が連続形成され、その部分が裏地側に折り曲げられ、折り曲げ部分２１が表地、裏地とともに縫製されて形成される。
これによって係止片１５は図２（ｂ）に示すように、スタンド用片１４の先端部から背面側下方に向かう片となる。
このスタンド用片１４の厚みは、ポケット部２及びカバー部（７，８，９）を形成するシート状物よりもかなり薄くてよい。
ポケット部２及びカバー部（７，８，９）を形成するシート状物は、電子機器の収納及び保護の機能を良好に得ること、更にはデザイン性を考慮し、合成皮革、布の種類、天然皮革等の採用する材質にもよるが例えば２ｍｍ〜３ｍｍ程度とし、適度な剛性と可撓性を得るようにすることが考えられる。これに対し、スタンド用片１４は、１ｍｍ以下の厚みであっても十分である。当然、薄ければ他の部位に比べて可撓性は高くなる（柔らかくなる）が、使用上問題はない（これについては後述する）。
また、スタンド用片１４は、必ずしも表地と裏地を合わせたものとする必要はなく、例えば合成皮革、天然皮革であって比較的薄い一枚素材を用い、その先端部を折り曲げて縫製して係止片１５を形成してもよい。
【００１８】
図３に示す携帯型テレビジョン受像器１００は、その筐体の正面上方に表示画面１０１を有する。
また例えば正面部に正面配置操作子１０２、上面部に上面配置操作子１０３、側面部に側面配置操作子１０４等として、ユーザの操作に用いられる各種のキーその他による操作子が設けられている。
また例えば右側面部下方にはヘッドホン接続端子１０５が形成される。
また図４（ｂ）からわかるように、左側面部にも、各種の端子１０７，１０８や側面配置操作子１０４等が設けられている。
【００１９】
このような携帯型テレビジョン受像器１００が、ポケット部２に収納されて保持されるが、キャリングケース１は、携帯型テレビジョン受像器１００をわざわざ取り出さなくても使用できるようにされている。
使用時には、例えば図５（ａ）（ｂ）のように上面カバー部７の中央付近で折り曲げて、前面カバー部８を背面カバー部９の背面側にたたむようにすると、ユーザは片手で容易に持つことができるとともに、前面カバー部８が使用の邪魔にならないようにできる。
【００２０】
図３，図５から明らかなように、ユーザは携帯型テレビジョン受像器１００をキャリングケース１に入れたままで表示画面１０１を見ることができる。つまりポケット部２の前面部３は、表示画面１０１を覆わないように形成されている。
また図１（ａ）に示すようにポケット部２の前面部３にはコ字状の切欠部３ａが形成されているが、図３，図５に示すように、この切欠部３ａは携帯型テレビジョン受像器１００の正面配置操作子１０２の位置に相当する。このためユーザは、携帯型テレビジョン受像器１００をキャリングケース１に入れたままで正面配置操作子１０２を操作できる。
また図５から明らかなように側面配置操作子１０４や上面配置操作子１０３の操作もキャリングケース１によって遮られない。
さらに、ポケット部２の両側には、上記のように開放部１２Ｒ、１２Ｌが形成されている。この開放部１２Ｒ、１２Ｌによって携帯型テレビジョン受像器１００のヘッドホン接続端子１０５や端子１０８が表出されるため、これらの端子使用も問題ない。
これらのように、キャリングケース１は、携帯型テレビジョン受像器１００の表示画面１０１や、上面、側面、正面等に設けられる構成物（操作子１０２、１０３，１０４，端子１０５，１０７，１０８等）を覆わない状態に形成されており、ユーザの通常使用を妨げない。
また、ポケット部２の前面部３には、スピーカ孔３ｂが形成されている。携帯型テレビジョン受像器１００においては、図示されないが、このスピーカ孔３ｂに相当する位置にスピーカが形成されており、これによってキャリングケース１に収納したままでもスピーカ出力音声は明瞭に出力される。
【００２１】
このような本例のキャリングケース１は、さらに、携帯型テレビジョン受像器１００をポケット部２に収納したままで、携帯型テレビジョン受像器１００を机上等で立たせるスタンドとしても機能する。
図６，図７，図８にキャリングケース１をスタンドとして使用する場合の斜視図及び側面図を示している。
スタンドとして使用する場合には、各図に示すように、ポケット部２に対して背面カバー部９を折り曲げ、さらに上面カバー部７あたりで前面カバー部８を折り曲げる。そして前面カバー部８の先端を、スタンド用片１４に設けられている係止片１５に係止させる。
このようにすることで、前面カバー部８、上面カバー部７、背面カバー部９として形成されているカバー部９が、スタンド用の脚部として機能し、携帯型テレビジョン受像器１００は、ユーザが視聴するに適度な角度（例えば６０度程度）で、机上等で立てられることになる。
【００２２】
先に述べたように、スタンド用片１４及び係止片１５は、カバー部（７，８，９）よりもかなり薄く、柔らかいものであるが、各図のようなスタンド使用時には、前面カバー部８の先端が係止片１５に引っかかって、スタンド用片１４を上方に押し上げるように作用する。このためスタンド用片１４は、携帯型テレビジョン受像器１００の背面に密着した状態で上方に引っ張られながら前面カバー部８を係止する。つまり携帯型テレビジョン受像器１００の筐体の剛性を利用することで、前面カバー部８を安定して係止するものとなる。これによって、スタンド用片１４は比較的柔らかいものであっても機能的に問題ない。
【００２３】
なお、このようにスタンドとして用いることを考えると、特に前面カバー部８は或る程度の硬さがあった方がよい。
そのためにはキャリングケース１の素材の選択により、スタンドとしての或る程度の強度は得られる場合もあるが、あまり全体を硬くしすぎると、例えば上面カバー部７の近辺での屈曲性に難が生ずる。
その一方、例えば本例のように合成皮革とクッション剤を縫い合わせたものを用い全体の材質に或る程度の柔軟性を持たせる場合、前面カバー部８としての強度が不足する場合もある。前面カバー部８があまり柔らかすぎると、図６，図７，図８のようにされた状態で、携帯型テレビジョン受像器１００の重量によって前面カバー部８がたわみ、携帯型テレビジョン受像器１００が背面側に大きく傾き、視聴に好適な角度とならなかったり、うまく立たないといったこともある。
そのため、前面カバー部８においては、例えば表地と裏地の間に芯材、例えば紙芯と呼ばれるＣＰＡ（Construction Sheet：構造紙）を挟むなどして、或る程度の剛性を持たせるようにするとよい。
また上面カバー部７は、深く屈折できることが必要であり、また背面カバー部９は、前面カバー部８程の剛性は不要であるが、上面カバー部７程柔らかくない方がよい。
これらのことから、前面カバー部８は、表地と裏地の間に例えば上記ＣＰＡのような画用紙程度の堅さの補強材を介在させ、背面カバー部９は、表地と裏地の間に薄い布地等を介在させ、上面カバー部７は表地と裏地のみで形成するなどすると、各部が、それぞれ適度な堅さを持つものとなる。
【００２４】
以上のような本例のキャリングケース１によれば、次のような効果を得ることができる。
通常携帯時においては、図４の状態とすることで、携帯型テレビジョン受像器１００を適切に保護できるとともに、カバーを開け、図３又は図５の状態とすることで、ユーザは容易に携帯型テレビジョン受像器１００を使用できる。
また、前面カバー部８を係止片１５に係止させるという非常に簡単なユーザの行為により、携帯型テレビジョン受像器１００を机上等で立てた状態で、放送等を視聴できることになる。
特に前面カバー部８、背面カバー部９、上面カバー部７が上記のようにそれぞれ適度な剛性とされていることで、ユーザにとってスタンド化も容易であり、またスタンド状態も安定する。
【００２５】
また前面カバー部８、背面カバー部９、上面カバー部７をスタンド用の脚部として機能させることで、脚部としての構造体を別途設ける必要はなく、キャリングケースとして必要な部位を有効利用できるものとなる。
【００２６】
また携帯型テレビジョン受像器１００の筐体サイズや、スタンド用片１４、前面カバー部８、背面カバー部９のサイズ等により、スタンド状態での角度、特にユーザから見る表示画面１０１の角度として、通常の視聴にとって好適な角度（例えば６０度程度）とすることができるが、その角度状態で安定することで、ユーザの快適な視聴を実現できる。
【００２７】
また、このように机上等で使用する際に、わざわざキャリングケース１から携帯型テレビジョン受像器１００を取り出す必要はない。
また携帯型テレビジョン受像器１００自体にスタンド機能を付加する必要もなく、或いはケースと共同でスタンドを実現する場合に機器側に係止部を設けるなどの必要もない。つまり機器側にはスタンド使用を考慮した構成部位は一切不要となる。従って機器設計や外観デザインの自由度を広げることができ、機器設計の容易化、製造コストダウン、外観の向上などを促進できる。
【００２８】
また、スタンド用片１４及び係止片１５は、薄くしても機能的に問題ない。このため、例えば図４のような状態で背面カバー部９側において内側に位置するスタンド用片１４によるふくらみが目立つといったようなことを生じないようにすることができ、外観上の違和感を生じさせないものとできる。
また図３、図４、図５からわかるように、外観上、スタンド用片１４や係止片１５はユーザから見えないものとなり、その点でも、キャリングケースの外観を左右することはない。
【００２９】
＜第２の実施の形態＞
続いて第２の実施の形態のキャリングケース３０を図９，図１０，図１１，図１２で説明図である。
図９（ａ）は実施の形態のキャリングケース３０を前面側から見た斜視図であり、図９（ｂ）は背面側から見た斜視図である。
図１０は、キャリングケース３０に携帯型テレビジョン受像器２００を収納し、カバーを開いている状態の斜視図である。
図１１（ａ）（ｂ）は、キャリングケース３０に携帯型テレビジョン受像器２００を収納してカバーを閉じた状態を、それぞれ正面側、背面側から見た斜視図である。
図１２（ａ）（ｂ）は、キャリングケース３０をスタンドとして使用している状態を、それぞれ正面側、背面側から見た斜視図である。
【００３０】
なお、キャリングケース３０は、上記したキャリングケース１と同様、例えば布、合成皮革、レザー等の素材を用いた可撓性のあるシート状物の縫製により形成される。例えば、表地を合成皮革或いはレザー、裏地を布その他の素材とし、これらを接着し外縁部を縫い合わせたシート状物を用いる。
そして図９（ａ）（ｂ）に示すようにキャリングケース３０は、ポケット部３２が形成される。このポケット部２は、前面部３３，底面部３６，背面部３５、右側面部３４Ｒ、左側面部３４Ｌで形成され、図１０のように携帯型テレビジョン受像器２００の筐体下部を収納する。
【００３１】
この場合も、携帯型テレビジョン受像器２００の表示画面２０１は前面部３３には覆われない。この場合携帯型テレビジョン受像器２００は、その筐体前面に広く表示画面２０１が形成されるものとしているが、これに合わせてポケット部３２の前面部３３にはコ字状の切欠部３３ａが形成され、表示画面２０１を覆わないようにされている。
また、携帯型テレビジョン受像器２００の正面配置操作子２０２、側面配置操作子２０４、上面配置操作子２０３もキャリングケース３０によっては覆われず、それらの操作は携帯型テレビジョン受像器２００をキャリングケース３０から取り出さなくても可能である。またポケット部２の両側には、開放部４２Ｒ、４２Ｌが形成され、例えばヘッドホン接続端子２０５等が表出されて使用できるようにされている。
また、ポケット部３２の前面部３３には、携帯型テレビジョン受像器２００のスピーカ部に相当する位置にスピーカ孔３３ｂが形成されている。
【００３２】
このキャリングケース３０は、対応する電子機器としての携帯型テレビジョン受像器２００に応じた形状・サイズとされる点で、上述したキャリングケース１とは異なるが、基本的な構造は同様である。
図９（ａ）（ｂ）からわかるように、ポケット部３２の背面部３５からは連続して背面カバー部３９、上面カバー部３７、及び前面カバー部３８が形成されている。
またポケット部２の背面部５の内側に一端が取り付けられた略方形のスタンド用片４４が設けられ、そのスタンド用片４４の先端部は係止片４５とされている。
【００３３】
この構造によってキャリングケース３０は、上述したキャリングケース１の場合と同様、図１２に示すように 背面カバー部３９、上面カバー部３７、前面カバー部３８を屈折させ、前面カバー部３８の先端を係止片４５に係止することで、これら背面カバー部３９、上面カバー部３７、前面カバー部３８がスタンド用の脚部として機能することになり、携帯型テレビジョン受像器２００を適切な角度で机上等で立たせることができる。
このようなキャリングケース３０でも、上述したキャリングケース１と同様の効果を得ることができる。
【００３４】
ところでこのキャリングケース３０は、ポケット部３２の前面部３３において切欠部３３ａが大きく、このため雄ホックを取り付けるスペースとしての余裕が無い。このため図９（ｂ）のように雄ホック４１を背面部３５に取り付けている。
そして前面カバー部３８には、その先端部にホック用片４６を内側に向かって縫い付け、そのホック用片４６の裏地側に雌ホック４０を取り付けている。
これによって収納時の状態は、図１１（ａ）（ｂ）に示すようになる。すなわち前面カバー部３８が携帯型テレビジョン受像器２００の前面側を覆うようにした際に、ホック用片４６が背面側に回り込み、雌ホック４０と雄ホック４１が係合することで、収納状態が保たれるようにしている。
【００３５】
このように、収納する機器の形態、特に表示画面２０１などによって前面部３３の面積や形状が限定される場合でも、適切な収納を行うことができる。
又この場合、図１２のようにスタンド化した際に、ホック用片４６は携帯型テレビジョン受像器２００の前面側からは見えないことで、スタンド時には不要となるホック用片４６により美観が損なわれることもない。
【００３６】
以上、実施の形態について説明したが、本発明のケースとしては収納する電子機器に応じて多様な形状、サイズが想定されることは言うまでもない。
いずれにしても、携帯型の電子機器をポケット部に収納した状態で、カバー部を屈折させて該カバー部の先端を係止片に係止させることで、カバー部がスタンド用脚部として機能し、電子機器を適切な角度で立てさせることができるようにすればよい。
なお、キャリングケース１、３０では雌雄ホックを用いて収納状態の固定を行うようにしたが、もちろんホック以外のもの、例えばマジックテープ（登録商標）やマグネットを用いて固定を行うようにしてもよい。
【図面の簡単な説明】
【００３７】
【図１】本発明の第１の実施の形態のキャリングケースの前面側及び背面側から見た斜視図である。
【図２】第１の実施の形態のキャリングケースの斜視図及び側面図である。
【図３】第１の実施の形態のキャリングケースのポケット部に電子機器を収納した状態の斜視図である。
【図４】第１の実施の形態のキャリングケースに電子機器を収納した状態の斜視図である。
【図５】第１の実施の形態のキャリングケースに収納した電子機器の使用時の状態の斜視図である。
【図６】第１の実施の形態のキャリングケースをスタンドとして機能させた場合の前方から見た状態の斜視図である。
【図７】第１の実施の形態のキャリングケースをスタンドとして機能させた場合の公報から見た状態の斜視図である。
【図８】第１の実施の形態のキャリングケースをスタンドとして機能させた場合の側面図である。
【図９】本発明の第２の実施の形態のキャリングケースの前面側から見た斜視図及び背面側から見た斜視図である。
【図１０】第２の実施の形態のキャリングケースのポケット部に電子機器を収納した状態の斜視図である。
【図１１】第２の実施の形態のキャリングケースに電子機器を収納した状態の斜視図である。
【図１２】第１の実施の形態のキャリングケースをスタンドとして機能させた場合を前方及び後方から見た状態の斜視図である。
【符号の説明】
【００３８】
１，３０  キャリングケース、２，３２  ポケット部、３，３３  前面部、４Ｒ，４Ｌ，３４Ｒ、３４Ｌ  側面部、５，３５  背面部、６，３６  底面部、７，３７  上面カバー部、８，３８  前面カバー部、９，３９  背面カバー部、１４，４４  スタンド用片、１５，４５  係止片、１００，２００  携帯型テレビジョン受像器、１０１，２０１  表示画面
【図１】
2009178373.tif 000003
【図２】
2009178373.tif 000004
【図３】
2009178373.tif 000005
【図４】
2009178373.tif 000006
【図５】
2009178373.tif 000007
【図６】
2009178373.tif 000008
【図７】
2009178373.tif 000009
【図８】
2009178373.tif 000010
【図９】
2009178373.tif 000011
【図１０】
2009178373.tif 000012
【図１１】
2009178373.tif 000013
【図１２】
2009178373.tif 000014